(57)【要約】【課題】  床フロア周りの防汚性能を向上させるとともに、防水構造の信頼性を向上させることができる浴室ユニットの床パン構造を提供する。【解決手段】  本願発明の浴室ユニットの床パン構造は、洗い場側床パン１に形成した点検口６を閉塞する洗い場蓋７の外周部に、上方に折り返した形状を有する立上り部８を設けたことを特徴とする。【選択図】図１
2006226080.tif 000002
【特許請求の範囲】
【請求項１】
洗い場を有する浴室ユニットの床パン構造において、床パンに形成した点検口を閉塞する洗い場蓋の外周部に、上方に折り返した形状を有する立上り部を設けたことを特徴とする浴室ユニットの床パン構造。
【請求項２】
床パンの端部には、内方に薄肉の壁載せ片が突設された壁パネル設置部が設けられており、壁パネルと壁載せ片との間及び壁載せ片と洗い場蓋の立上り部との間にそれぞれ形成される２つの隙間が１箇所でシールされていることを特徴とする請求項１記載の浴室ユニットの床パン構造。
【請求項３】
床パンの端部には、内方に薄肉の壁載せ片が突設された壁パネル設置部が設けられており、洗い場蓋の裏面外周部近傍には垂下片が取り付けられ、壁載せ片と洗い場蓋の立上り部の上面との間にクサビ状スペーサーが打ち込まれ、洗い場蓋の垂下片と床パンとの間がシール材によりシールされていることを特徴とする請求項１記載の浴室ユニットの床パン構造。
【請求項４】
洗い場蓋の立上り部が、床パンの端部と壁載せ片を有する壁パネル設置部とで形成された凹部に収納され、洗い場蓋の立上り部の内壁と壁パネルの内壁とが面一となっていることを特徴とする請求項２又は３に記載の浴室ユニットの床パン構造。
【請求項５】
壁載せ片を有する壁パネル設置部が床パンと別体となっていることを特徴とする請求項２から４のいずれかに記載の浴室ユニットの床パン構造。
【発明の詳細な説明】
【技術分野】
【０００１】
本願発明は、洗い場を有する浴室ユニットの床パン構造に関するものである。
【背景技術】
【０００２】
従来より、洗い場側床パンと浴槽側床パンを備えた浴室ユニットの床パン構造では、洗い場側床パンに点検口を形成し、その点検口を閉塞するために洗い場蓋が設けられている。
【０００３】
図５に、従来の浴室ユニットの床パン構造における洗い場側の構造を模式的に断面図で示す。洗い場側床パン３１の端部は上方に起立した起立部３２となっている。また、洗い場側床パン３１の端部には、壁パネル３３を設置するための壁載せ部３４を有する壁パネル設置部３５が設けられている。壁パネル設置部３５の外側下方には、床パン３１の起立部３２と係合する凹部３６が形成されている。また、洗い場側床パン３１の適所には点検口３７が形成されており、この点検口３７を閉塞するために洗い場蓋３８が取り付けられている。洗い場蓋３８は端部が下方に垂下した立下り部３９となっている。そして洗い場蓋３８の立下り部３９と壁パネル設置部３５の間はシール材４０でシールされている。このように洗い場蓋３８の端部が垂下して立下り部３９となった構造は、例えば特許文献１に開示されている。
【特許文献１】特開２００１−２７９７５２号公報
【発明の開示】
【発明が解決しようとする課題】
【０００４】
しかしながら、上記のような従来の床パン構造においては洗い場蓋３８の端部が位置する洗い場隅部はシール材４０が設けられているため、止水性（水仕舞）が悪く、シール材４０に汚れが付着しやすく、カビの付着や変色の原因となっていた。
【０００５】
本願発明は、以上のとおりの事情に鑑みてなされたもので、床フロア周りの防汚性能を向上させるとともに、防水構造の信頼性を向上させることができる浴室ユニットの床パン構造を提供することを課題とする。
【課題を解決するための手段】
【０００６】
本願発明の浴室ユニットの床パン構造は、上記課題を解決するため、第１には、洗い場を有する浴室ユニットの床パン構造において、床パンに形成した点検口を閉塞する洗い場蓋の外周部に、上方に折り返した形状を有する立上り部を設けたことを特徴とする。
【０００７】
また、第２には、上記第１の発明において、床パンの端部には、内方に薄肉の壁載せ片が突設された壁パネル設置部が設けられており、壁パネルと壁載せ片との間及び壁載せ片と洗い場蓋の立上り部との間にそれぞれ形成される２つの隙間が１箇所でシールされていることを特徴とする。
【０００８】
また、第３には、上記第１の発明において、床パンの端部には、内方に薄肉の壁載せ片が突設された壁パネル設置部が設けられており、洗い場蓋の裏面外周部近傍には垂下片が取り付けられ、壁載せ片と洗い場蓋の立上り部の上面との間にクサビ状スペーサーが打ち込まれ、洗い場蓋の垂下片と床パンとの間がシール材によりシールされていることを特徴とする。
【０００９】
また、第４には、上記第２又は第３の発明において、洗い場蓋の立上り部が、床パンの端部と壁載せ片を有する壁パネル設置部とで形成された凹部に収納され、洗い場蓋の立上り部の内壁と壁パネルの内壁とが面一となっていることを特徴とする。
【００１０】
さらに、第５には、上記第２から第４のいずれかの発明において、壁載せ片を有する壁パネル設置部が床パンと別体となっていることを特徴とする。
【発明の効果】
【００１１】
本願請求項１の発明によれば、床パンに形成した点検口を閉塞する洗い場蓋の外周部に、上方に折り返した形状を有する立上り部を設けたので、床フロア周りの防汚性能を向上させるとともに、防水構造の信頼性を向上させることができる。
【００１２】
本願請求項２の発明によれば、請求項１の発明と同様な効果が得られる上、シールを１箇所で行っているため、浴室の見栄えをよいものとすることができる。
【００１３】
本願請求項３の発明によれば、請求項１の発明と同様な効果が得られる上、壁載せ片と洗い場蓋の立上り部の上面との間にクサビ状スペーサーを打ち込んでいるため、洗い場蓋端部での防水効果向上と同時に、洗い場蓋の垂下部と床パンとの間での止水構造が実現できる。
【００１４】
本願請求項４の発明によれば、上記効果に加え、洗い場蓋の立上り部の内壁と壁パネルの内壁とが面一となっているので、浴室の見栄えをよいものとすることができる。
【００１５】
本願請求項５の発明によれば、上記効果に加え、壁載せ片を有する壁パネル設置部を床パンとは別体としたので、床パン本体をシンプルな構造のものとすることができる上、ドア設置部分において壁パネル設置部に相当する部分を取り外すことにより、段差なしのドア構造が実現できる。
【発明を実施するための最良の形態】
【００１６】
本願発明は上記のとおりの特徴をもつものであるが、以下にその実施の形態について説明する。
【００１７】
図１は、本願発明による浴室ユニットの床パン構造の一実施形態における洗い場側の構造を模式的に示す断面図、図２は、図１のＡ部の拡大図、図３は、ドア設置部の下部構造を模式的に示す断面図である。
【００１８】
本実施形態では、洗い場側床パン１は全体平面形状が略四角形状となっており、４つの端部のうち、少なくとも３つの端部（３つの場合、浴槽側端部は除く）は上方に起立した起立部２となっている。また、洗い場側床パン１の端部には、壁パネル３を設置するための壁載せ片４を有する壁パネル設置部（幅木）５が設けられている。また、洗い場側床パン１の適所には点検口６が形成されており、この点検口６を閉塞するために洗い場蓋７が取り付けられている。洗い場蓋７は端部が上方に折り返した形状を有する立上り部８となっている。立上り部８の上方は外方に向けて突出する突出部９となっている。洗い場蓋７の裏面側外周近傍には洗い場側床パン１との上下間隔を保持するため及び止水構造を形成するための垂下部１０が形成されている。
【００１９】
壁パネル設置部５は、洗い場側床パン１とは別体の部材となっており、上方には内方に向かって突出する壁載せ片４が突設され、そこに壁パネル３を載せることができるようになっている。また壁パネル設置部５の壁載せ片４の下方には洗い場蓋７の立上り部８と相補的な形状を有する凹部１１が形成され、その凹部１１内に洗い場蓋７の立上り部８が収容されるようになっている。そして、壁パネル３の内壁（意匠面）１２と洗い場蓋７の立上り部８の内壁１３とがほぼ同一面（面一）となり、見栄えをよいものとしている。また、壁パネル設置部５の外側下方にも洗い場側床パン１の起立部２と相補的な形状を有する凹部１４が形成され、その凹部１４と洗い場側床パン１の起立部２が係合するようになっている。
【００２０】
壁パネル３と壁パネル設置部５の壁載せ片４との間の隙間１５と、壁パネル設置部５の壁載せ片４と洗い場蓋７の立上り部８の上方に設けられた突出部９との間の隙間１６は、図２に示すように、１箇所でシール材１７によりシールされている。１箇所でのシールのため、壁載せ片４の厚みは肉薄としているが、壁パネル３の設置には支障のない厚みとなっている。１箇所でのシール、すなわち１本の目地仕上がりのため、これも浴槽の見栄えをよいものとしている。
【００２１】
本実施形態の壁パネル設置部５は、洗い場側床パン１とは別体となっており、ドア１８の設置部では、図３に示すように、壁パネル設置部を取り外したドア設置構造とすることで、段差なしのドア構造１９を実現することができるようになっている。なお、図中２０はドア下枠である。
【００２２】
上記のように、洗い場蓋７の外周部に上方に折り返した形状を有する立上り部８を設けることにより、床フロア周りにカビの付着や変色が生じにくくなり、防汚特性、清掃性も向上し、しかも防水構造の信頼性が向上する。また、壁パネル３の内壁１２と洗い場蓋７の立上り部８の内壁１３とをほぼ同一面（面一）とすること、及び、壁パネル３と壁載せ片４、及び、壁載せ片４と洗い場蓋７の立上り部８とで形成される隙間１５、１６の部分を１箇所でのシールとすることにより、浴室の見栄えをよいものとしている。
【００２３】
以上、本願発明を一実施形態に基づいて説明したが、もちろん本願発明は上記実施形態に限定されるものではなく、種々の変形、変更が可能である。
【００２４】
例えば、本願発明によれば、図４に示すように、壁パネル設置部５の壁載せ片４と洗い場蓋７の立上り部８により形成される隙間１６にクサビ状スペーサー２１を打ち込んでシールを行うようにすることができる。クサビ状スペーサー２１の材料としては、シール性にすぐれ、打ち込みにより適当な力を上下に作用させることができる硬質ゴムやプラスチック等を用いることができる。この場合、洗い場蓋７の垂下片１０と洗い場側床パン１との間にシール材２２を設けて止水構造とすることができる。クサビ状スペーサー２１の打ち込みにより、壁パネル設置部５の壁載せ片４を壁パネル３側に押圧するとともに、隙間１６のシールが確実なものとなる上、洗い場蓋７に下方（図４の矢印方向）への力が加わり、シール材２２による止水をより確実なものとすることができる。
【００２５】
また、上記実施形態では、壁パネル設置部５は洗い場側床パン１と別体のものとしたが、本願発明によれば、両者を一体化させてもよい。この場合、洗い場蓋７はたとえば浴槽側からスライドさせることにより設置することができる。
【図面の簡単な説明】
【００２６】
【図１】本願発明による浴室ユニットの床パン構造の一実施形態における洗い場側の構造を模式的に示す断面図である。
【図２】図１のＡ部の拡大図である。
【図３】ドア設置部の下部構造を模式的に示す断面図である。
【図４】本願発明による浴室ユニットの床パン構造の別の実施形態における洗い場側の構造を模式的に示す断面図である。
【図５】従来の浴室ユニットの床パン構造における洗い場側の構造を模式的に断面図である。
【符号の説明】
【００２７】
１    洗い場側床パン
２    起立部
３    壁パネル
４    壁載せ片
５    壁パネル設置部
６    点検口
７    洗い場蓋
８    立上り部
９    突出部
１０    垂下部
１１、１４    凹部
１２    壁パネルの内壁（意匠面）
１３    洗い場蓋の立上り部の内壁
１５、１６    隙間
１７、２２    シール材
１８    ドア
１９    ドア構造
２０    ドア下枠
２１    クサビ状スペーサー
【図１】
2006226080.tif 000003
【図２】
2006226080.tif 000004
【図３】
2006226080.tif 000005
【図４】
2006226080.tif 000006
【図５】
2006226080.tif 000007